(57)【要約】    【課題】病害虫の発生予察に対し被害を最小にして収益を確保する対応策を決定するための情報を提供して営農者である組合員の収入と生活を確保する。    【解決手段】作付け情報に対応した地域別及び作物別の病害虫の発生予察情報、病害虫の影響情報及び防除・駆除の効果情報を入手する情報入手ステップと、入手情報に基づいて何も対処しなかった場合の収益、防除・駆除を行なった場合の収益、及び病害虫の防除・駆除をせずに作物の植え替えを行った場合の収益のそれぞれを予想する収益予想ステップと、対応別の予想収益を含む比較表を作成して病害虫の発生予察の対応検討情報として提供する対応検討情報提供ステップとを備える。    【選択図】      図１
2007073073.tif 000002
【特許請求の範囲】
【請求項１】
コンピュータに
情報入手手段により作付け情報に対応した地域別及び作物別の病害虫の発生予察情報、病害虫の影響情報及び防除・駆除の効果情報を入手する情報入手ステップと、
前記入手情報に基づいて、何も対処しなかった場合の収益、防除・駆除を行なった場合の収益及び病害虫の防除・駆除をせずに作物の植え替えを行った場合の収益を収益予想手段によりそれぞれを予想する収益予想ステップと、
対応情報提供手段により前記対応別の予想収益を含む比較表を作成して前記病害虫の発生予察の対応検討情報として提供する対応検討情報提供ステップとを実行させることを特徴とする病害虫の対応策情報提供方法。
【請求項２】
請求項１記載の病害虫の対応策情報提供方法に於いて、
前記収益予想手段による前記収益予想ステップは、
前記病害虫の発生予察、病害虫の影響情報及び作付け情報に出荷価格予想を加えた情報から何も対処しなかった場合の等級下落と収量減を予想して対応する収益を予想し、
前記病害虫の発生予察、防除・駆除の効果情報、作付け情報に出荷価格予想と薬剤・作業情報を加えた情報から防除・駆除を行なった場合の薬剤・作業の費用、等級及び収量を予想して対応する収益を予想し、
前記作付け情報に植え替え情報と出荷価格予想を加えた情報から病害虫の防除・駆除をせずに作物の植え替えを行なった場合の植え替え費用、植え替え作物の等級及び植え替え作物の収量を予想して対応する収益を予想すること
を特徴とする病害虫の対応策情報提供方法。
【請求項３】
コンピュータに、
情報入手手段により、作付け情報に対応した地域別及び作物別の病害虫の発生予察情報、病害虫の影響情報及び防除・駆除の効果情報を入手する情報入手ステップと、
前記入手情報に基づいて、何も対処しなかった場合の収益、防除・駆除を行なった場合の収益及び病害虫の防除・駆除をせずに作物の植え替えを行った場合の収益のそれぞれを収益予想手段により予想する収益予想ステップと、
対応検討情報提供手段により、前記対応別の予想収益を含む比較表を作成して前記病害虫の発生予察の対応検討情報として提供する対応検討情報提供ステップと、
を実行させるためのプログラム。
【請求項４】
コンピュータに、
情報入手手段により、作付け情報に対応した地域別及び作物別の病害虫の発生予察情報、病害虫の影響情報及び防除・駆除の効果情報を入手する情報入手ステップと、
前記入手情報に基づいて、何も対処しなかった場合の収益、防除・駆除を行なった場合の収益及び病害虫の防除・駆除をせずに作物の植え替えを行った場合の収益のそれぞれを情報入手手段により予想する収益予想ステップと、
対応検討情報提供手段により、前記対応別の予想収益を含む比較表を作成して前記病害虫の発生予察の対応検討情報として提供する対応検討情報提供ステップと、
を実行させるプログラムを格納したことを特徴とするコンピュータ読取可能な記録媒体。
【請求項５】
コンピュータに、
情報入手部により、作付け情報に対応した地域別及び作物別の病害虫の発生予察情報、  病害虫の影響情報及び防除・駆除の効果情報を入手する情報入手ステップと、
前記入手情報に基づいて、何も対処しなかった場合の収益、防除・駆除を行なった場合の収益及び病害虫の防除・駆除をせずに作物の植え替えを行った場合の収益のそれぞれを収益予想部により予想する収益予想ステップと、
対応検討情報提供部により、前記対応別の予想収益を含む比較表を作成して前記病害虫の発生予察の対応検討情報として提供する対応検討情報提供ステップと、
を備えたこと特徴とする病害虫の対応策情報提供システム。
【発明の詳細な説明】
【技術分野】
【０００１】
本発明は、病害虫の発生予察に対する対応策を検討するための情報を提供する病害虫の対応策情報提供方法、プログラム、記録媒体及びシステムに関する。
【背景技術】
【０００２】
従来、場所を指定して病害虫の発生予察情報や駆除情報などを入手し、関係者が効果的に活用できるようにした病害虫の発生予察及び情報提供のためのシステム並びに方法が提案されている。
【０００３】
またＪＡとして知られた全国組織の農業協同組合のシステムでは、営農者である組合員の作付け場所、作物等を含む作付け情報を保有しているが、病害虫発生予察情報と連携して対応策を検討するような情報システムは存在しない。
【特許文献１】特開平１１−２８７８７１号公報
【特許文献２】特開平１１−３１３５９４号公報
【発明の開示】
【発明が解決しようとする課題】
【０００４】
しかしながら、従来の病害虫の発生予察システムを利用する場合には、営農者である組合員個人またはＪＡ職員（指導員等）がその都度地域を指定して問い合わせの処理を行わなければならず、また病害虫と作物との関係を判断する必要があった。
【０００５】
また病害虫発生による被害の予想や、防除駆除にかかる費用、さらには等級や収量予想を踏まえた収入予想などの計算は現実的には出来ず、とにかく防除・駆除する等の費用対効果に基づかない対応をとるしかなかった。
【０００６】
更に病害虫の発生に対し各地域の予想を踏まえ、作物の作況指数、価格予想、更には出荷調整の可能性も含め、ＪＡ全体の収益を考え、地域ごとに別の対応策を指導することは困難であった。
【０００７】
本発明は、病害虫の発生予察に対し組織全体として被害を最小にして収益を確保する対応策を決定するための情報を提供して営農者である組合員の収入と生活を確保する病虫害の対応策情報提供方法、プログラム、記録媒体及びシステムを提供することを目的とする。
【課題を解決するための手段】
【０００８】
図１は、本発明の原理説明図である。本発明による病害虫の対応策情報提供方法は、作付け情報に対応した地域別及び作物別の病害虫の発生予察情報、病害虫の影響情報及び防除・駆除の効果情報を入手する情報入手ステップと、
入手情報に基づいて、何も対処しなかった場合の収益、防除・駆除を行なった場合の収益及び病害虫の防除・駆除をせずに作物の植え替えを行った場合の収益のそれぞれを予想する収益予想ステップと、
対応別の予想収益を含む比較表を作成して病害虫の発生予察の対応検討情報として提供する対応検討情報提供ステップと、
を備えたこと特徴とする。
【０００９】
このため、対象地域の病害虫発生予察と関連情報を入手して対応策ごとの収益予想が把握でき、費用対効果を踏まえた営農家（組合員）の対応が可能となる。
【００１０】
特に、作物別、地域別、全体の対応策別の比較表から、例えば全体としての収益が増加する（損失が少ない）病害虫対応の方法を検討することが可能となる。また、作物の作況指数、価格予想、出荷調整の可能性、別の作物への植え替えも含め、地域ごとに別の対応策を指導することが可能となる。
【００１１】
ここで情報入手ステップ、収益予想ステップ及び対応策検討情報提供ステップは、組織会員の在住する全地域、例えばＪＡ全地域を処理対象とする。このため職員などがその都度地域を指定して検索すること無く、全地域の病害虫の発生予察に対応した対応策検討情報が得られる。勿論、必要に応じて地域別、作物別を指定して処理することもできる。
【００１２】
収益予想ステップは、次の３つの収益予想を行う。
（１）病害虫の発生予察、病害虫の影響情報及び作付け情報に出荷価格予想を加えた情報から何も対処しなかった場合の等級下落と収量減を予想して対応する収益を予想する（被害予想）。
（２）病害虫の発生予察、防除・駆除の効果情報、作付け情報に出荷価格予想と薬剤・作業情報を加えた情報から防除・駆除を行なった場合の薬剤・作業の費用、等級及び収量を予想して対応する収益を予想する（病害虫・駆除予想）。
（３）作付け情報に植え替え情報と出荷価格予想を加えた情報から病害虫の防除・駆除をせずに作物の植え替えを行なった場合の植え替え費用、植え替え作物の等級及び植え替え作物の収量を予想して対応する収益を予想する（植え替え予想）。
【００１３】
対応検討情報提供ステップは、更に対応別の予想収益から地域毎に収益が最大となる予想結果の最大収益リストを作成して病害虫の発生予察の対応検討情報として提供する。
【００１４】
本発明は、病害虫の対応策，情報を提供するためのプログラムを提供する。このプログラムは、コンピュータに、
作付け情報に対応した地域別及び作物別の病害虫の発生予察情報、病害虫の影響情報及び防除・駆除の効果情報を入手する情報入手ステップと、
入手情報に基づいて、何も対処しなかった場合の収益、防除・駆除を行なった場合の収益及び病害虫の防除・駆除をせずに作物の植え替えを行った場合の収益のそれぞれを予想する収益予想ステップと、
対応別の予想収益を含む比較表を作成して病害虫の発生予察の対応検討情報として提供する対応検討情報提供ステップと、
を実行させること特徴とする。
【００１５】
本発明は、病害虫の対応策情報を提供するためのプログラムを格納したコンピュータ読取可能な記録媒体を提供する。この記録媒体に格納されたプログラムは、コンピュータに、
作付け情報に対応した地域別及び作物別の病害虫の発生予察情報、病害虫の影響情報及び防除・駆除の効果情報を入手する情報入手ステップと、
前記入手情報に基づいて、何も対処しなかった場合の収益、防除・駆除を行なった場合の収益及び病害虫の防除・駆除をせずに作物の植え替えを行った場合の収益のそれぞれを予想する収益予想ステップと、
前記対応別の予想収益を含む比較表を作成して前記病害虫の発生予察の対応検討情報として提供する対応検討情報提供ステップと、
を実行させる。
【００１６】
本発明は、病害虫の対応策情報提供システムを提供する。このシステムは、作付け情報に対応した地域別及び作物別の病害虫の発生予察情報、病害虫の影響情報及び防除・駆除の効果情報を入手する情報入手部１６と、入手情報に基づいて、何も対処しなかった場合の収益、防除・駆除を行なった場合の収益及び病害虫の防除・駆除をせずに作物の植え替えを行った場合の収益のそれぞれを予想する収益予想部１８と、対応別の予想収益を含む比較表を作成して病害虫の発生予察の対応検討情報として提供する対応検討情報提供部２０とを備えたこと特徴とする。尚、プログラム、記録媒体およびシステムの詳細は、病害虫の対応策情報提供方法と基本的に同じになる。
【発明の効果】
【００１７】
本発明によれば、地域と作物を特定するだけで病害虫の発生予察と関連情報が入手でき、何もしない場合、防除・駆除を行った場合、作物の植え替えを行った場合の３つの対応策別に収益予想が把握でき、病害虫の発生に対し費用対効果を踏まえた営農家の対応が可能となる。
【００１８】
また対応策ごとの収益予想の比較表から、例えばＪＡなどの組織全体としての収益が増加するような病害虫に対する対応策が検討可能となる。
【００１９】
更に、作物の作況指数、価格予想、更に出荷調整の可能性をも含め、別の作物への植え替えも考慮し、地域ごとに最適な対応策の指導や採用が可能となる。
【発明を実施するための最良の形態】
【００２０】
図２は、本発明による病害虫の対応策情報提供方法が実現されるシステム構成のブロック図である。
【００２１】
図２において、本発明の病害虫の対応策情報提供処理は、ＪＡシステム１０内に構築されている情報系システムサーバ１２により構成される。情報系システムサーバ１２に対しては基幹系システムサーバ１４が接続されている。また情報系システムサーバ１２は、インターネット２２を介して、病害虫の発生予察及び情報提供システム２４にアクセスすることができる。
【００２２】
病害虫の発生予察及び情報提供システム２４には、気象センタ２６、研究所２８、試験場３０及び製薬会社３２などのシステムが接続されており、作付け場所と作物を特定する作付け情報を用いて病害虫の発生予察を検索することができる。このシステムとしては、例えば特開平１１−２８７８７１に開示されたシステムが利用できる。
【００２３】
また情報系システムサーバ１２は、インターネット２２を介して作況情報システム３４にアクセスすることができ、作物の等級ごとの出荷価格予想などの作況情報を入手することができる。
【００２４】
ＪＡシステム１０に設けられている基幹系システムサーバ１４は、作付情報、作物等級ごとの出荷価格予想、薬剤・作業情報、植え替え情報などを提供する。情報系システムサーバ１２には、情報入手部１６，収益予想部１８及び対応策検討情報提供部２０が設けられ、これによって本発明の病害虫の対応策情報提供処理を実行する。
【００２５】
情報入手部１６は、基幹系システムサーバ１４より取得した作付け情報によりインターネット２２を介して病害虫の発生予察及び情報提供システム２４にアクセスして検索要求を行うことで、作付け情報に対応した地域別及び作物別の病害虫の発生予察情報、病害虫の影響情報及び防除・駆除の効果情報を入手する。
【００２６】
この実施形態にあっては、情報入手部１６は基幹系システムサーバ１４から得られたＪＡ全地域を対象に作付け情報に基づくアクセスを行って、病害虫の発生予察及び情報提供システム２４より病害虫の発生予察情報、病害虫の影響情報及び防除・駆除の効果情報を入手する場合を例にとっている。もちろん、地域と作物を個別に特定して検索要求を行うこともできる。
【００２７】
収益予想部１８は、情報入手部１６で入手した情報に基づいて、何も対処しなかった場合の収益、防除・駆除を行った場合の収益、及び病害虫の防除・駆除をせずに作物の植え替えを行った場合の収益のそれぞれを予想する。ここで防除・駆除を行った場合の収益とは、実質的に被害予想を意味する。また防除・駆除を行った場合の収益とは、病害虫防除・駆除予想を意味する。更に植え替えを行った場合の収益とは、植え替え予想を意味する。
【００２８】
対応策検討情報提供部２０は、収益予想部１８で得られた３つの対応別の予想収益を含む比較表を作成し、病害虫の発生予察の対応検討情報として提供する。この対応策検討情報の提供先としては、ＪＡシステム１０内に設けられているクライアント１５を使用した指導員１７による提供情報の閲覧で、組合員３８に個別的に指導するために利用される。またインターネット２２を介して、組合員３８のクライアント３６によるアクセスに対し対応策検討情報を提供する。
【００２９】
図３は、図２の情報系システムサーバ１２により実行される本発明の病害虫の対応策情報提供処理の内容を示した説明図である。
【００３０】
図３において、まず図２の情報系システムサーバ１２に示した情報入手部１６の処理により、基幹系システムサーバ１４側から作付け情報５０を入手する。
【００３１】
この実施形態にあっては例えばＪＡ全域について作付け情報５０を入手し、これを検索キーワードとして病害虫の発生予察及び情報提供システム２４にアクセスし、検索結果として病害虫の発生予察４０、病害虫の影響情報４２及び防除・駆除の効果情報４４を入手する。
【００３２】
このようにして入手した入手情報に基づき、図２の収益予想部１８が図３における対応予想処理４８を実行する。この対応予想処理４８は、何も対処しなかった場合、防除・駆除を行った場合、防除・駆除をせずに作物の植え替えを行った場合の３つについて、それぞれの収益を予想する。
【００３３】
具体的には、何も対処しなかった場合の被害予想５６、防除・駆除を行った場合の病害虫防除・駆除予想５８、及び防除・駆除をせずに作物の植え替えを行った場合の植え替え予想６０を行う。
【００３４】
まず何も対処しなかった場合の被害予想５６については、病害虫の発生予察４０、病害虫の影響情報４２及び作付け情報５０に、作況情報システム３４から得た作物等級ごとの出荷価格予想４６を加えた情報から、等級の価格と収益減を予想し、対応する収益を予想する。もちろん、この被害予想５６は地域と作物別に行う。
【００３５】
次に防除・駆除を行った場合の病害虫防除・駆除予想５８については、病害虫の発生予察４０、防除・駆除の効果情報４４及び作付け情報５０に、更に出荷価格予想４６と薬剤・作業情報５２を加えた情報から、防除・駆除を行った場合の薬剤・作業の費用、等級及び収量を予想して、対応する収益を予想する。
【００３６】
更に、防除・駆除を行わずに作物の植え替えを行った場合の植え替え予想６０については、作付け情報５０に植え替え情報５４と出荷価格予想４６を加えた情報から、病害虫の防除・駆除をせずに作物の植え替えを行った場合の植え替え費用、植え替え作物の等級及び植え替え作物の収量を予想して、対応する収益を予想する。
【００３７】
このようにして３つの対応策別の収益、即ち被害予想５６、病害虫防除・駆除予想５８及び植え替え予想６０が得られたならば、図２の情報系システムサーバ１２に設けている対応策検討情報提供部２０の処理により、図３に示す比較表作成処理６２を実行する。
【００３８】
この比較表作成処理６２は、対応策検討情報６４の中に示す対応別収益予想比較表６６を作成することを基本とし、更に最大収益リスト６８も併せて作成する。対応別収益予想比較表６６は、地域別に対応方法として対応予想処理４８で予想された３種類の対応結果の予想収益を含んだ比較表とする。
【００３９】
また、対応別収益予想比較表６６には、参考情報として当初見込みの収益も示される。このため、対応別収益予想比較表６６を見ることで、３種類の対応別の収益を比較し、例えばＪＡ全体として最も高い収益となる対応策をとるなどの判断ができる。
【００４０】
更に対応検討情報６４として提供される最大収益リスト６８は、地域別に最大収益となる対応策を抽出して、作物作付け面積、当初収益見込み、対応、合計費用、予想収入、予想収益を比較表示する。
【００４１】
このように、本発明により提供される対応策検討情報６４によって、図２のクライアント１５を使用した指導員１７、あるいはクライアント３６を使用した組合員３８は、病害虫の発生に対し予想収益からどのような対応策をとることが適切であるかの指導や判断を適切に行うことができる。
【００４２】
図４は、本発明による病害虫の対応策情報提供処理の処理手順を示したフローチャートであり、このフローチャートに従ったプログラムが作成されて、図２の情報系システムサーバ１２で実行されることになる。
【００４３】
図４において、まずステップＳ１で病害虫の発生予察を行う。この病害虫の発生予察は、基幹系システムサーバ１４に保持している作付け情報５０を用いて病害虫の発生予察及び情報提供システム２４を検索して、この実施形態にあっては、ＪＡ全域の病害虫の発生予察４０、病害虫の影響情報４２及び防除・駆除の効果情報４４を入手する。
【００４４】
次のステップＳ２は被害予想を行う。この被害予想は、病害虫の発生予察及び情報提供システム２４から入手した病害虫の発生予察４０と病害虫の影響情報４２に、作況状況システム３４から入手した出荷価格予想、及び基幹系システムサーバ１４から入手した作付け情報５０に基づき、何も対処しなかった場合の作物別・地域別の等級下落と収量減を予想し、対応する収益即ち被害状況を予想する。
【００４５】
ここで等級下落と収量減の予想は次式で行う。
【００４６】
（等級下落）＝（作付け情報の等級）−（病害虫影響情報の等級）
（収量減）＝（作付け情報の収量）×（病害虫の影響情報の収量％）
【００４７】
次のステップＳ３では病害虫防除・駆除予想を行う。この病害虫防除・駆除予想は、病害虫の発生予察及び情報提供システム２４から入手した病害虫の発生予察４０と防除・駆除の効果情報４４に加え、作況情報システム３４から入手した出荷価格予想４６と基幹系システムサーバ１４から入手した作付け情報５０と薬剤・作業情報５２に基づき、作物別・地域別に防除・駆除を行った場合の薬剤や作業の費用と等級及び収量を予想し、対応する収益を予想する。
【００４８】
この場合の等級予想及び収量予想は次式で与えられる。
【００４９】
（等級予想）＝（被害予想の等級）−（効果情報の等級）
（収益予想）＝（被害予想の収量）×（効果情報の収量％）
【００５０】
続いてステップＳ４で植え替え予想を行う。この植え替え予想は、作況情報システム３４から入手した出荷価格予想４６、基幹系システムサーバ１４から入手した作付け情報５０と、植え替え情報５４に基づき、対応策として病害虫の防除・駆除をせずに作物の植え替えを行った場合の植え替え費用、植え替え作物の等級、植え替え作物の収量を予想し、対応する収益を作物別及び地域別に予想する。
【００５１】
最終的に、ステップＳ５で対応別収益予想比較表作成を行う。この対応別収益予想比較表作成は、ステップＳ２，Ｓ３，Ｓ４の各予想結果と、当初計画値から作物別・地域別ＪＡ全体について対応別比較表及び最大収益リストを作成し、病害虫の発生予察に対する対応を検討するための検討情報として指導員や組合員に提供する。
【００５２】
次に本発明による病害虫の対応策情報提供処理の具体例を、作物として「ねぎ」を例にとって具体的に説明する。図５は、図４のステップＳ２における被害予想の具体例である。この例では作物は「ねぎ」とし、発生予察の対象となる病害虫は「べと病」を例にとり、更に地域は地域ａと地域ｂの２つについて示している。
【００５３】
まず図４のステップＳ１の病害虫の発生予察の実行により、作付け情報５０に基づく病害虫発生予察及び情報提供システム２４の検索で、ねぎに対応したべと病を内容とする病害虫の発生予察４０と病害虫の影響情報４２が得られている。また作況情報システム３４よりねぎの出荷価格予想４６が得られている。
【００５４】
そこで図４のステップＳ２に対応した被害予想処理６９にあっては、これらの入手情報に基づき、何も対処しなかった場合の被害予想５６を生成する。例えば地域ａを例にとると
（等級下落）＝（作付け情報の等級）−(病害虫情報の等級)
＝１級−(−２級)
＝３級
（収益減）  ＝（作付け情報の収量）×(病害虫影響情報の収量)
＝１０００（５０００ｋｇ／アール）×８０％
＝４０００ｋｇ／アール
を予想する。
【００５５】
この等級予想と収量予想につき予想価格を適用することで、予想収益が地域ａについては８００万円となる。ここで作付情報５０の費用計画は地域ａについて１０００万円であることから、予想収益は予想収入から費用計画を差し引いた損失２００万円となる。
【００５６】
これに対し地域ｂについては、病害虫の影響情報４２から明らかなように等級下落が−１級で収量が９０％と影響が低いことから、被害予想５６における等級予想は２級で収量予想も４５００ｋｇ／アールであり、このため予想収入は１３５０万円となり、ここから作付け情報５０の費用計画１０００万円を差し引くと３５０万円の予想収益となる。
【００５７】
この被害予想５６に対しては併せて、被害がない場合の収益予想７０を示しており、被害がなかった場合の予想収入は地域ａ，ｂについて共に２０００万円、予想収益は１０００万円となっている。
【００５８】
このため、被害予想５６におけるＪＡ全体としての合計収益を見ると１５０万円となっている。もし被害がなければ、この合計収益は２０００万円である。
【００５９】
図６は、図４のステップＳ３における病害虫防除・駆除予想の具体例である。このステップＳ３に対応した病害虫防除・駆除予想処理７２にあっては、病害虫の発生予察４０、図５の被害予想処理６９で得られた何も対処しない場合の被害予想５６、防除・駆除の効果情報４４、図５と同じ出荷価格予想及び作付情報５０に基づいて病害虫防除・駆除予想５８、即ち防除・駆除を行った場合の収益予想を行う。
【００６０】
この予想は等級予想と収益予想を行うもので、地域ａを例に取ると次のようになる。
【００６１】
（等級予想）＝(被害予想の等級)−(効果情報の等級)
＝３級−（＋１級）
＝２級
（収益予想）＝(被害予想の収量)×（効果情報の収量）
＝（４０００ｋｇ／アール）×（１１０％）
＝４４００ｋｇ／アール
同様にして地域ｂについて行った等級予想は１級で、収量予想は４９５０ｋｇ／アールとなる。
【００６２】
このようにして等級予想と単位収量予想ができたならば、等級予想された等級により出荷価格予想４６の予想価格を求めて乗算することで、地域ａについては予想収入１３２０万円、地域ｂについては予想収入１９８０万円が得られる。
【００６３】
そして、この予想収入から作付け情報５０における費用計画、病害虫防除・駆除予想５８における薬剤費用と作業費用を差し引くことにより、地域ａの予想収益は２１０万円、地域ｂの予想収益は８７０万円となり、ＪＡ合計としての合計収益は１０８０万円となる。
【００６４】
図７は、図４のステップＳ４に対応した植え替え予想処理７４の具体例である。この植え替え予想処理７４にあっては、病害虫の発生予察４０、図５で得られた何も対処しない場合の収益予想５６、出荷価格予想４６、作付け情報５０、更に植え替え情報５４に基づいて、病害虫の防除・駆除をせずに作物の植え替えを行った場合の植え替え費用、植え替え作物の等級と収量を予想し、対応する収益を作物別及び地域別に予想する。
【００６５】
この場合、植え替え情報５４に示すように、ねぎの植え替え作物はブロッコリーである。このため植え替え予想６０は、ねぎをブロッコリーに植え替えた場合の苗付け量、苗単価から苗代費用を求め、植え替え作業工数、人件費単価から作業費用を求め、更に出荷価格予想４６からブロッコリーの等級予想に対する予想価格を用いて単位収量予想から予想収入を求めている。
【００６６】
この場合、地域ａ，ｂとも作付け面積は同じであることから、予想収入は共に１６００万円となっている。そして、予想収入から作付情報５０の費用計画、植え替え予想６０における苗代費用及び作業費用を差し引くことにより、予想収益を求めている。予想収益は地域ａについて５００万円、同じく地域ｂも５００万円であり、ＪＡ全体としての合計収益は１０００万円となる。
【００６７】
図８は、図４のステップＳ５に示した対応別収益予想比較処理の詳細を示したフローチャートである。この対応別収益予想比較処理の手順を、図５〜図７で予想された対応別収益を対象に具体的に示した図９を参照して説明すると、次のようになる。
【００６８】
まずステップＳ１で、図５の被害予想５６の結果から、何も対処しない場合の地域ごとの予想収益結果を抽出する。次にステップＳ２で、図６の病害虫防除・駆除予想５８の結果から地域ごとの予想収益結果を抽出する。更にステップＳ３で、図７の植え替え予想６０の結果から地域ごとの当初予想収益結果を抽出する。
【００６９】
更にステップＳ４で、作付け情報５０と当初の出荷価格予想４６から対象作物についての地域ごとの病害虫が発生しない場合の当初予想収益を算出する。この当初予想収益については、図５の被害予想処理で参考情報として被害がない場合の収益予想７０が得られていることから、ここから抽出するようにしてもよい。
【００７０】
続いてステップＳ５で、対応検討情報６４の１つとして対応別収益予想比較表を作成する。この対応別収益予想比較表６６は、地域ａ，ｂについて、対応しない場合、防除・駆除をした場合、植え替えをした場合について、それぞれの予想収益を列挙し、併せて参考資料として当初見込みを列挙している。そして、全体としての合計収益を示す。
【００７１】
続いてステップＳ６で最大収益リスト６８を作成する。最大収益リスト６８は、被害予想５６、病害虫防除・駆除予想５８及び植え替え予想６０の予想結果の中から地域ごとに収益が最大となる結果を抽出して、地域別の作付け情報対応方法、費用、及び予想収益のリストを作成している。
【００７２】
この場合、地域ａで最大収益となる対応方法はブロッコリーへの植え替えであり、予想収益は５００万円となっている。また地域ｂについては、最大収益となる対応方法は防除・駆除であり、この場合の予想収益は８７０万円となっている。そして、最大収益リスト６８に従ったＪＡ合計収益は１３７０万円である。
【００７３】
このようにして、ステップＳ５，Ｓ６により対応検討情報６４として対応別収益予想比較表６６と最大収益リスト６８が作成できたならば、ステップＳ７で対応検討情報の考察を行う。この考察は例えば「収益を最大にするためには、即ち被害を最小にするためには、地域ａは植え替えを行い、地域ｂは防除・駆除を行えばよい」といったものとなる。
【００７４】
更に本発明は病害虫の対応策情報提供処理を実行するプログラムを格納した記録媒体を提供するものであり、この記録媒体としてはＣＤ−ＲＯＭやフレキシブルディスクなどの可搬型記録媒体だけではなく、ネットワーク上にある記録装置内の記録媒体やコンピュータのハードディスクやＲＡＭなどの記録媒体のいずれであってもよく、プログラムの実行時にはコンピュータ上にローディングされて主メモリ上で実行される。
【００７５】
なお上記の実施形態にあっては、対応別の収益の算出に使用する出荷価格予想４６や病害虫の影響情報４２については、外部システムのアクセスにより入手した情報を使用しているが、このようにして入手した情報の中の特定のパラメータ、例えば出荷価格予想４６における予想価格や病害虫の影響情報４２における発生率、等級、更には収量などについて、ユーザ側で個別に経験的な値に設定変更して予想処理を行うこともできる。
【００７６】
また上記の実施形態にあっては、基幹系システムサーバ１４からＪＡ全域の作付情報を入手して、病害虫の発生予察及び情報提供システム２４の検索で病害虫の発生予察、病害虫の影響情報及び防除・駆除の効果情報をＪＡ全域の全作物について入手しているが、特定の地域の特定の作物の作付け情報を用いて同様に病害虫の対応策情報提供処理を行うこともできる。
【００７７】
また本発明は、その目的と利点を損なわない適宜の変形を含み、更に本発明は上記の実施形態に示した数値による限定は受けない。
（付記）
（付記１）
作付け情報に対応した地域別及び作物別の病害虫の発生予察情報、病害虫の影響情報及び防除・駆除の効果情報を入手する情報入手ステップと、
前記入手情報に基づいて、何も対処しなかった場合の収益、防除・駆除を行なった場合の収益及び病害虫の防除・駆除をせずに作物の植え替えを行った場合の収益のそれぞれを予想する収益予想ステップと、
前記対応別の予想収益を含む比較表を作成して前記病害虫の発生予察の対応検討情報として提供する対応検討情報提供ステップと、
を備えたこと特徴とする病害虫の対応策情報提供方法。（１）
【００７８】
（付記２）
付記１記載の病害虫の対応策情報提供方法に於いて、前記情報入手ステップ、収益予想ステップ及び対応策検討情報提供ステップは、組織会員の在住する全地域を処理対象とすることを特徴とする病害虫の対応策情報提供方法。
【００７９】
（付記３）
付記１記載の病害虫の対応策情報提供方法に於いて、前記収益予想ステップは、
前記病害虫の発生予察、病害虫の影響情報及び作付け情報に出荷価格予想を加えた情報から何も対処しなかった場合の等級下落と収量減を予想して対応する収益を予想し、
前記病害虫の発生予察、防除・駆除の効果情報、作付け情報に出荷価格予想と薬剤・作業情報を加えた情報から防除・駆除を行なった場合の薬剤・作業の費用、等級及び収量を予想して対応する収益を予想し、
前記作付け情報に植え替え情報と出荷価格予想を加えた情報から病害虫の防除・駆除をせずに作物の植え替えを行なった場合の植え替え費用、植え替え作物の等級及び植え替え作物の収量を予想して対応する収益を予想することを特徴とする病害虫の対応策情報提供方法。（２）
【００８０】
（付記４）
付記１記載の病害虫の対応策情報提供方法において、前記対応検討情報提供ステップは、更に前記対応別の予想収益から地域毎に収益が最大となる予想結果の最大収益リストを作成して前記病害虫の発生予察の対応検討情報として提供することを特徴とする病害虫の対応策情報提供方法。
【００８１】
（付記５）
コンピュータに、
作付け情報に対応した地域別及び作物別の病害虫の発生予察情報、病害虫の影響情報及び防除・駆除の効果情報を入手する情報入手ステップと、
前記入手情報に基づいて、何も対処しなかった場合の収益、防除・駆除を行なった場合の収益及び病害虫の防除・駆除をせずに作物の植え替えを行った場合の収益のそれぞれを予想する収益予想ステップと、
前記対応別の予想収益を含む比較表を作成して前記病害虫の発生予察の対応検討情報として提供する対応検討情報提供ステップと、
を実行させること特徴とするプログラム。（３）
【００８２】
（付記６）
コンピュータに、
作付け情報に対応した地域別及び作物別の病害虫の発生予察情報、病害虫の影響情報及び防除・駆除の効果情報を入手する情報入手ステップと、
前記入手情報に基づいて、何も対処しなかった場合の収益、防除・駆除を行なった場合の収益及び病害虫の防除・駆除をせずに作物の植え替えを行った場合の収益のそれぞれを予想する収益予想ステップと、
前記対応別の予想収益を含む比較表を作成して前記病害虫の発生予察の対応検討情報として提供する対応検討情報提供ステップと、
を実行させることプログラムを格納したことを特徴とするコンピュータ読取可能な記録媒体。（４）
【００８３】
（付記７）
作付け情報に対応した地域別及び作物別の病害虫の発生予察情報、病害虫の影響情報及び防除・駆除の効果情報を入手する情報入手部と、
前記入手情報に基づいて、何も対処しなかった場合の収益、防除・駆除を行なった場合の収益及び病害虫の防除・駆除をせずに作物の植え替えを行った場合の収益のそれぞれを予想する収益予想部と、
前記対応別の予想収益を含む比較表を作成して前記病害虫の発生予察の対応検討情報として提供する対応検討情報提供部と、
を備えたこと特徴とする病害虫の対応策情報提供システム。（５）
【図面の簡単な説明】
【００８４】
【図１】本発明の原理説明図
【図２】本発明のシステム構成を示したブロック図
【図３】本発明の処理内容を示した説明図
【図４】本発明の処理手順を示したフローチャート
【図５】何も対処しない場合の予想処理の説明図
【図６】防除・駆除を行った場合の予想処理の説明図
【図７】植え替えを行った場合の予想処理の説明図
【図８】本発明における対応別収益予想比較処理の手順を示したフローチャート
【図９】対応別の収益予想に基づく比較表作成処理の説明図
【符号の説明】
【００８５】
１０：ＪＡシステム
１２：情報系システムサーバ
１４：基幹系システムサーバ
１５，３６：クライアント
１６：情報入手部
１８：収益予想部
２０：対応策検討情報提供部
２２：インターネット
２４：病害虫の発生予察及び情報提供システム
【図１】
2007073073.tif 000003
【図２】
2007073073.tif 000004
【図３】
2007073073.tif 000005
【図４】
2007073073.tif 000006
【図５】
2007073073.tif 000007
【図６】
2007073073.tif 000008
【図７】
2007073073.tif 000009
【図８】
2007073073.tif 000010
【図９】
2007073073.tif 000011
【手続補正書】
【提出日】平成18年12月28日(2006.12.28)
【手続補正１】
【補正対象書類名】特許請求の範囲
【補正対象項目名】全文
【補正方法】変更
【補正の内容】
【特許請求の範囲】
【請求項１】
地域及び作物ごとに発生している病害虫およびその発生率の情報・作物に対する病害虫の発生率に対する収穫量の減少率情報・害虫の発生率に対して薬剤を使用した場合の収穫量の増加率情報およびその費用情報・植え替えにかかる費用及び植え替え対象作物の情報を蓄積している情報記憶手段、各地域に作付けされている作物及びその作付面積が蓄積された基幹系作付けサーバ及び出荷価格が蓄積された作況情報サーバにアクセス可能なコンピュータが、
各地域の作付け収量情報を前記基幹系作付けサーバにアクセスして取得する作付け収量情報取得ステップと、
地域及び作物ごとに発生している病害虫及びその発生率の情報・作物に対する病害虫の発生率に対する収穫量の減少率情報・害虫の発生率に対して薬剤を使用した場合の収穫量の増加率情報を前記情報提供手段にアクセスして取得する病害虫関連情報取得ステップと、
前記作況情報サーバにアクセスし作物の出荷価格を取得する出荷情報取得ステップと、
前記作付け収量情報入手ステップにて取得した作付け収量情報と、前記病害虫関連情報取得ステップにて取得した病害虫の発生率に対する収穫量の減少率情報を基に、該作付け収量情報に該収穫量減少量を加味した収穫量を算出し、収穫量を対処なしの収穫量として出力する対処なし収穫量出力ステップと、
前記収穫量出カステップが出力した対処なしの収穫量と前記出荷情報取得ステップにて取得された出荷価格情報を基に対処なし収穫量における収益額を算出し、この算出結果を対処なし時の収益予想額を出力する対処なし収益予想額出力ステップと、
前記対処なし時の収穫量出力ステップにて出力された対処無し収穫量に前記病害虫情報取得ステップにて取得した害虫の発生率に対して薬剤を使用した場合の収穫量の増加率情報を加味した収穫量を求め、該薬剤を使用した場合の収穫量の増加率及び前記病害虫関連情報所得ステップが取得した薬剤の費用情報を加味した収益予想額を薬剤使用時収益予想額として出力する薬剤使用時収益予想額算出ステッブと、
更に、情報記憶手段に蓄積されている植え替えにかかる費用及び植え替え対象作物の情報を取得し、植え替え対象作物による収益を植え替え時収益予想額として出力する植え替え収益予想ステッブと、
前記対処なし収益予想ステップにて出力された対処なし時の収予想額・前記薬剤使用時収益予想ステップにて出力された薬剤使用時収益予想額・薬剤使用時収益予想額算出ステップが出力した薬剤使用時収益予想額・前記植え替え収益予想ステップが出力植え替え時収益予想額を含む比較リストを生成し、対応検討情報として出力する対応情報提供ステップとを実行させることを特徴とする病害虫の対応策情報提供方法。
【請求項２】
地域及び作物ごとに発生している病害虫およびその発生率の情報・作物に対する病害虫の発生率に対する収穫量の減少率情報・害虫の発生率に対して薬剤を使用した場合の収穫量の増加率情報およびその費用情報・植え替えにかかる費用及び植え替え対象作物の情報を蓄積している情報記憶手段、各地域に作付けされている作物及びその作付面積が蓄積された基幹系作付けサーバ及び出荷価格が蓄積された作況情報サーバにアクセス可能なコンピュータが、
各地域の作付け収量情報を前記基幹系作付けサーバにアクセスして取得する作付け収量情報取得ステップと、
地域及び作物ごとに発生している病害虫及びその発生率の情報・作物に対する病害虫の発生率に対する収穫量の減少率情報・害虫の発生率に対して薬剤を使用した場合の収穫量の増加率情報を前記情報提供手段にアクセスして取得する病害虫関連情報取得ステップと、
前記作況情報サーバにアクセスし作物の出荷価格を取得する出荷情報取得ステップと、
前記作付け収量情報入手ステップにて取得した作付け収量情報と、前記病害虫関連情報取得ステップにて取得した病害虫の発生率に対する収穫量の減少率情報を基に、該作付け収量情報に該収穫量減少量を加味した収穫量を算出し、収穫量を対処なしの収穫量として出力する対処なし収穫量出力ステップと、
前記収穫量出カステップが出力した対処なしの収穫量と前記出荷情報取得ステップにて取得された出荷価格情報を基に対処なし収穫量における収益額を算出し、この算出結果を対処なし時の収益予想額を出力する対処なし収益予想額出力ステップと、
前記対処なし時の収穫量出力ステップにて出力された対処無し収穫量に前記病害虫情報取得ステップにて取得した害虫の発生率に対して薬剤を使用した場合の収穫量の増加率情報を加味した収穫量を求め、該薬剤を使用した場合の収穫量の増加率及び前記病害虫関連情報所得ステップが取得した薬剤の費用情報を加味した収益予想額を薬剤使用時収益予想額として出力する薬剤使用時収益予想額算出ステッブと、
更に、情報記憶手段に蓄積されている植え替えにかかる費用及び植え替え対象作物の情報を取得し、植え替え対象作物による収益を植え替え時収益予想額として出力する植え替え収益予想ステッブと、
前記対処なし収益予想ステップにて出力された対処なし時の収予想額・前記薬剤使用時収益予想ステップにて出力された薬剤使用時収益予想額・薬剤使用時収益予想額算出ステップが出力した薬剤使用時収益予想額・前記植え替え収益予想ステップが出力植え替え時収益予想額を含む比較リストを生成し、対応検討情報として出力する対応情報提供ステップとを実行させるためのプログラム。
【請求項３】
地域及び作物ごとに発生している病害虫およびその発生率の情報・作物に対する病害虫の発生率に対する収穫量の減少率情報・害虫の発生率に対して薬剤を使用した場合の収穫量の増加率情報およびその費用情報・植え替えにかかる費用及び植え替え対象作物の情報を蓄積している情報記憶手段、各地域に作付けされている作物及びその作付面積が蓄積された基幹系作付けサーバ及び出荷価格が蓄積された作況情報サーバにアクセス可能なコンピュータが、
各地域の作付け収量情報を前記基幹系作付けサーバにアクセスして取得する作付け収量情報取得ステップと、
地域及び作物ごとに発生している病害虫及びその発生率の情報・作物に対する病害虫の発生率に対する収穫量の減少率情報・害虫の発生率に対して薬剤を使用した場合の収穫量の増加率情報を前記情報提供手段にアクセスして取得する病害虫関連情報取得ステップと、
前記作況情報サーバにアクセスし作物の出荷価格を取得する出荷情報取得ステップと、
前記作付け収量情報入手ステップにて取得した作付け収量情報と、前記病害虫関連情報取得ステップにて取得した病害虫の発生率に対する収穫量の減少率情報を基に、該作付け収量情報に該収穫量減少量を加味した収穫量を算出し、収穫量を対処なしの収穫量として出力する対処なし収穫量出力ステップと、
前記収穫量出カステップが出力した対処なしの収穫量と前記出荷情報取得ステップにて取得された出荷価格情報を基に対処なし収穫量における収益額を算出し、この算出結果を対処なし時の収益予想額を出力する対処なし収益予想額出力ステップと、
前記対処なし時の収穫量出力ステップにて出力された対処無し収穫量に前記病害虫情報取得ステップにて取得した害虫の発生率に対して薬剤を使用した場合の収穫量の増加率情報を加味した収穫量を求め、該薬剤を使用した場合の収穫量の増加率及び前記病害虫関連情報所得ステップが取得した薬剤の費用情報を加味した収益予想額を薬剤使用時収益予想額として出力する薬剤使用時収益予想額算出ステッブと、
更に、情報記憶手段に蓄積されている植え替えにかかる費用及び植え替え対象作物の情報を取得し、植え替え対象作物による収益を植え替え時収益予想額として出力する植え替え収益予想ステッブと、
前記対処なし収益予想ステップにて出力された対処なし時の収予想額・前記薬剤使用時収益予想ステップにて出力された薬剤使用時収益予想額・薬剤使用時収益予想額算出ステップが出力した薬剤使用時収益予想額・前記植え替え収益予想ステップが出力植え替え時収益予想額を含む比較リストを生成し、対応検討情報として出力する対応情報提供ステップとを実行させるためのプログラムを記録したコンピュータ読み取り可能な記録媒体。
【請求項４】
地域及び作物ごとに発生している病害虫およびその発生率の情報・作物に対する病害虫の発生率に対する収穫量の減少率情報・害虫の発生率に対して薬剤を使用した場合の収穫量の増加率情報およびその費用情報・植え替えにかかる費用及び植え替え対象作物の情報を蓄積している情報記憶手段、各地域に作付けされている作物及びその作付面積が蓄積された基幹系作付けサーバ及び出荷価格が蓄積された作況情報サーバにアクセス可能なコンピュータが、
各地域の作付け収量情報を前記基幹系作付けサーバにアクセスして取得する作付け収量情報取得ステップと、
地域及び作物ごとに発生している病害虫及びその発生率の情報・作物に対する病害虫の発生率に対する収穫量の減少率情報・害虫の発生率に対して薬剤を使用した場合の収穫量の増加率情報を前記情報提供手段にアクセスして取得する病害虫関連情報取得ステップと、
前記作況情報サーバにアクセスし作物の出荷価格を取得する出荷情報取得ステップと、
前記作付け収量情報入手ステップにて取得した作付け収量情報と、前記病害虫関連情報取得ステップにて取得した病害虫の発生率に対する収穫量の減少率情報を基に、該作付け収量情報に該収穫量減少量を加味した収穫量を算出し、収穫量を対処なしの収穫量として出力する対処なし収穫量出力ステップと、
前記収穫量出カステップが出力した対処なしの収穫量と前記出荷情報取得ステップにて取得された出荷価格情報を基に対処なし収穫量における収益額を算出し、この算出結果を対処なし時の収益予想額を出力する対処なし収益予想額出力ステップと、
前記対処なし時の収穫量出力ステップにて出力された対処無し収穫量に前記病害虫情報取得ステップにて取得した害虫の発生率に対して薬剤を使用した場合の収穫量の増加率情報を加味した収穫量を求め、該薬剤を使用した場合の収穫量の増加率及び前記病害虫関連情報所得ステップが取得した薬剤の費用情報を加味した収益予想額を薬剤使用時収益予想額として出力する薬剤使用時収益予想額算出ステッブと、
更に、情報記憶手段に蓄積されている植え替えにかかる費用及び植え替え対象作物の情報を取得し、植え替え対象作物による収益を植え替え時収益予想額として出力する植え替え収益予想ステッブと、
前記対処なし収益予想ステップにて出力された対処なし時の収予想額・前記薬剤使用時収益予想ステップにて出力された薬剤使用時収益予想額・薬剤使用時収益予想額算出ステップが出力した薬剤使用時収益予想額・前記植え替え収益予想ステップが出力植え替え時収益予想額を含む比較リストを生成し、対応検討情報として出力する対応情報提供ステップとを実行させることを特徴とする病害虫の対応策情報提供システム。